【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
複数のクレジットカード会社サーバおよび複数の店舗端末と通信回線を介して接続され、店舗内のカード利用を与信判定するクレジットカードのリアル与信判定装置であって、
前記複数のクレジットカード会社サーバから照会される会員電話番号毎に所定期間内のアクセス数を増分または減分する数値を記憶するアクセスカウンタ手段と、
カード利用者が登録する会員電話番号の照会回数を前記アクセスカウンタ手段の数値から判定するアクセス判定手段と、
前記アクセス判定手段の判定結果を報知パラメータとして報知レベルを演算し、この演算結果に基づき報知レベル送信手段がアラーム情報を前記会員電話番号の照会をしているクレジットカード会社サーバへ送信するように制御する演算制御部と、
を備えることを特徴とするクレジットカードのリアル与信判定装置。
【請求項２】
さらに、電話番号の「有効」使用履歴が存在する固定または移動体電話番号の使用履歴を予め記憶装置に記憶する電話番号履歴情報データベースと、
前記店舗端末から店舗内のカード利用時に照合されるカード情報に対応する会員電話番号の照会を前記クレジットカード会社サーバから受信し、この会員電話番号を検索キーとして、前記電話番号履歴情報データベースの中から検索する履歴検索手段とを備え、
前記演算制御部は、前記会員電話番号が前記照会された時点での前記履歴検索手段の検索結果および前記アクセス判定手段の判定結果を報知パラメータとして報知レベルを演算し、この演算結果に基づき報知レベル送信手段がアラーム情報を前記会員電話番号の照会をしているクレジットカード会社サーバへ送信するように制御する、
ことを特徴とする請求項１に記載のクレジットカードのリアル与信判定装置。
【請求項３】
複数のクレジットカード会社サーバおよび複数の店舗端末と通信回線を介して接続され、店舗内のカード利用を与信判定するクレジットカードのリアル与信判定方法であって、
前記複数のクレジットカード会社サーバから照会される会員電話番号毎に所定期間内のアクセス数を増分または減分する数値をアクセスカウンタ手段に記憶するステップと、
カード利用者が登録する会員電話番号の照会回数をアクセス判定手段が前記アクセスカウンタ手段の数値から判定するステップと、
前記アクセス判定手段の判定結果を報知パラメータとして報知レベルを演算し、この演算結果に基づき報知レベル送信手段がアラーム情報を前記会員電話番号の照会をしているクレジットカード会社サーバへ送信するように演算制御部が制御するステップと、
を含むことを特徴とするクレジットカードのリアル与信判定方法。
【請求項４】
さらに、電話番号の「有効」使用履歴が存在する固定または移動体電話番号の使用履歴を予め電話番号履歴情報データベースの記憶装置に記憶するステップと、
前記店舗端末から店舗内のカード利用時に照合されるカード情報に対応する会員電話番号の照会を前記クレジットカード会社サーバから受信し、この会員電話番号を検索キーとして、履歴検索手段により電話番号履歴情報データベースの中から検索するステップとを含み、
前記制御するステップにおいて、前記会員電話番号が前記照会された時点での前記履歴検索手段の検索結果および前記アクセス判定手段の判定結果を報知パラメータとして報知レベルを演算し、この演算結果に基づき報知レベル送信手段がアラーム情報を前記会員電話番号の照会をしているクレジットカード会社サーバへ送信するように演算制御部が制御する
ことを特徴とする請求項３に記載のクレジットカードのリアル与信判定方法。
【手続補正２】
【補正対象書類名】明細書
【補正対象項目名】００１０
【補正方法】変更
【補正の内容】
【００１０】
（１）上記目的を達成するために、本発明のリアル与信判定装置は、複数のクレジットカード会社サーバおよび複数の店舗端末と通信回線を介して接続され、店舗内のカード利用を与信判定するクレジットカードのリアル与信判定装置であって、複数のクレジットカード会社サーバから照会される会員電話番号毎に所定期間内のアクセス数を増分または減分する数値を記憶するアクセスカウンタ手段と、カード利用者が登録する会員電話番号の照会回数をアクセスカウンタ手段の数値から判定するアクセス判定手段と、アクセス判定手段の判定結果を報知パラメータとして報知レベルを演算し、この演算結果に基づき報知レベル送信手段がアラーム情報を会員電話番号の照会をしているクレジットカード会社サーバへ送信するように制御する演算制御部と、を備えることを要旨とする。
（２）さらに、本発明のリアル与信判定装置は、電話番号の「有効」使用履歴が存在する固定または移動体電話番号の使用履歴を予め記憶装置に記憶する電話番号履歴情報データベースと、店舗端末から店舗内のカード利用時に照合されるカード情報に対応する会員電話番号の照会を前記クレジットカード会社サーバから受信し、この会員電話番号を検索キーとして、電話番号履歴情報データベースの中から検索する履歴検索手段とを備え、演算制御部は、会員電話番号が照会された時点での履歴検索手段の検索結果およびアクセス判定手段の判定結果を報知パラメータとして報知レベルを演算し、この演算結果に基づき報知レベル送信手段がアラーム情報を会員電話番号の照会をしているクレジットカード会社サーバへ送信するように制御する、ことを要旨とする（１）に記載のリアル与信判定装置である。
（３）上記目的を達成するために、本発明のリアル与信判定方法は、複数のクレジットカード会社サーバおよび複数の店舗端末と通信回線を介して接続され、店舗内のカード利用を与信判定するクレジットカードのリアル与信判定方法であって、複数のクレジットカード会社サーバから照会される会員電話番号毎に所定期間内のアクセス数を増分または減分する数値をアクセスカウンタ手段に記憶するステップと、カード利用者が登録する会員電話番号の照会回数をアクセス判定手段がアクセスカウンタ手段の数値から判定するステップと、アクセス判定手段の判定結果を報知パラメータとして報知レベルを演算し、この演算結果に基づき報知レベル送信手段がアラーム情報を会員電話番号の照会をしているクレジットカード会社サーバへ送信するように演算制御部が制御するステップと、を含むことを要旨とする。
（４）さらに、本発明のリアル与信判定方法は、電話番号の「有効」使用履歴が存在する固定または移動体電話番号の使用履歴を予め電話番号履歴情報データベースの記憶装置に記憶するステップと、店舗端末から店舗内のカード利用時に照合されるカード情報に対応する会員電話番号の照会を前記クレジットカード会社サーバから受信し、この会員電話番号を検索キーとして、履歴検索手段により電話番号履歴情報データベースの中から検索するステップとを含み、制御するステップにおいて、会員電話番号が照会された時点での履歴検索手段の検索結果およびアクセス判定手段の判定結果を報知パラメータとして報知レベルを演算し、この演算結果に基づき報知レベル送信手段がアラーム情報を会員電話番号の照会をしているクレジットカード会社サーバへ送信するように演算制御部が制御する、ことを要旨とする（３）に記載のリアル与信判定方法である。
例えば、図１に示すように、複数のクレジットカード会社サーバ１０および複数の店舗端末１２と通信回線１４ａ、１４ｂを介して接続され、店舗内のカード２７ａから２７ｄ利用を与信判定するクレジットカードのリアル与信判定装置１６であって、複数のクレジットカード会社サーバ１０から照会される会員電話番号毎に所定期間内のアクセス数を増分または減分する数値を記憶するアクセスカウンタ手段１８と、カード利用者が登録する会員電話番号の照会回数をアクセスカウンタ手段１８の数値から判定するアクセス判定手段２０と、電話番号の「有効」使用履歴が存在する固定または移動体電話番号の使用履歴を予め記憶装置（一例として、ハードディスクまたは光磁気ディスク若しくはDigital Versatile Disc）に記憶する電話番号履歴情報データベース２２と、店舗端末１２ａから店舗内（一例として、リアル店舗やバーチャル店舗）のカード利用時に照合されるカード情報に対応する会員電話番号の照会をクレジットカード会社サーバ１０ａから受信し、この会員電話番号を検索キーとして、履歴判定手段２４により電話番号履歴情報データベース２２の中から検索し、会員電話番号が照会された時点で「欠番」（一例として、過去に使用中であった電話番号が廃止された状態）と判定された場合、その会員電話番号の所定連続欠番期間（一例として、３ヶ月または１年以内）およびアクセス判定手段２０の判定結果（一例として、アクセス３回超え）を報知パラメータとして報知レベルを演算し、この演算結果に基づき報知レベル送信手段２８が報知強の「使用停止レベル」、報知中の「警告レベル」、および報知低の「警戒レベル」の何れか１つのアラーム情報を会員電話番号の照会をしているクレジットカード会社サーバ１０ａへ送信するように制御する演算制御部２６（一例として、中央処理装置ＣＰＵ）と、を備える。
【手続補正３】
【補正対象書類名】明細書
【補正対象項目名】００３５
【補正方法】変更
【補正の内容】
【００３５】
同様に、リアル与信判定装置１６は店舗端末１２ａから店舗内（一例として、リアル店舗やバーチャル店舗）のカード利用時に照合されるカード情報に対応する会員電話番号の照会をクレジットカード会社サーバ１０ａから受信し、この会員電話番号を検索キーとして、判定プログラム５８に記述するコンピュータソフトウエアプログラムによる履歴検索手段２４を演算制御部２６（一例として、中央処理装置ＣＰＵ）で実行することで電話番号履歴情報データベース２２の中から検索し、会員電話番号が照会された時点で「欠番」（一例として、過去に使用中であった電話番号が廃止された状態）と検索された場合、その会員電話番号の所定連続欠番期間（一例として、３ヶ月または１年以内）および判定プログラム５８に記述するコンピュータソフトウエアプログラムによるアクセス判定手段２０の判定結果（一例として、アクセス３回超え）を報知パラメータとして演算制御部２６で演算し報知レベルを出力する。すなわち、演算制御部２６の演算結果に基づき判定プログラム５８に記述するコンピュータソフトウエアプログラムによる報知レベル送信手段２８が報知強の「使用停止レベル」、報知中の「警告レベル」、および報知低の「警戒レベル」の何れか１つのアラーム情報を会員電話番号の照会をしているクレジットカード会社サーバ１０ａへ送信するように演算制御部２６により制御する。
【手続補正４】
【補正対象書類名】明細書
【補正対象項目名】００８２
【補正方法】変更
【補正の内容】
【００８２】
図４は、第２の実施形態によるリアル与信判定装置１６のブロック図である。同図に示すように、与信センタサーバを用いたリアル与信判定装置１６は、国内プレフィックス番号「０」、想定される市外局番、市内局番、および加入者番号を含む所定桁数の固定または移動体電話番号の使用履歴を記憶装置（一例として、ハードディスクまたは光磁気ディスク若しくはDigital Versatile Disc）に記憶する電話番号履歴情報データベース２２と、複数のクレジットカード会社サーバ１０に通信回線１４ｃを介して接続され、店舗内でクレジットカードとしてのユーザカード２７の利用時に店舗端末１２ａから通信回線（一例として、図中の加盟店Ｂ１からクレジット会社Ａ１のクレジットカード会社サーバ１０ａとの間の矢印ライン）を介してカード情報を受信するクレジットカード会社サーバ１０ａからカード情報に対応する会員電話番号の照会を受付け、この会員電話番号のアクセスカウンタ手段１８のアクセス数を増分または減分し、クレジットカード会社サーバ１０ａから照会された会員電話番号を検索キーとして電話番号履歴情報データベース２２の中から検索し、会員電話番号が照会された時点までの所定連続欠番期間（一例として、３ヶ月または１年以内）の履歴を履歴検索手段２４が検索する場合、アクセス判定手段２０がアクセスカウンタ手段１８を参照しアクセス数の閾値越えを判定（一例として、３０日以内にアクセス３回超え）するときは、報知強の「使用停止レベル」または報知中の「警告レベル」のアラーム情報を報知レベル送信手段２８が会員電話番号の照会をしているクレジットカード会社サーバ１０ａへ送信するように制御する演算制御部２６と、を備える。なお、第２の実施形態では上述の実施形態と同一または類似の部材については同一又は類似の符号を付し重複する説明を省略する。
【手続補正５】
【補正対象書類名】明細書
【補正対象項目名】００８５
【補正方法】変更
【補正の内容】
【００８５】
また、判定プログラム５８には、履歴検索手段２４、アクセス判定手段２０、および報知レベル判定手段２８を実装し、演算制御部２６が判定プログラム５８を実行することにより本実施形態のリアル与信判定を遂行することができる。
【手続補正６】
【補正対象書類名】図面
【補正対象項目名】図１
【補正方法】変更
【補正の内容】
【図１】
2009301397.tif 000001
【手続補正７】
【補正対象書類名】図面
【補正対象項目名】図４
【補正方法】変更
【補正の内容】
【図４】
2009301397.tif 000002